(57)【要約】【課題】オーニング窓等における障子の左右両側に設けた開閉リンクのズレを容易に解消し、窓の開閉作業をスムーズに行うことができるオーニング窓等の開閉機構及びこれを用いたオーニング窓を提供する。【解決手段】略矩形の障子２と、障子２を上下方向に単又は複数、回動自在に支持する開閉リンク３と、開閉リンク３を駆動させる昇降リンク４と、左右側の何れか一方の昇降リンク４を昇降させる操作部６と、昇降リンク４に連結されるとともに、昇降リンク４の昇降運動を回転運動に変換するクランク部材１６、１７と、左右両端部が左右のクランク部材１６、１７に連結され、一方の昇降リンク４に連動して回動することで他方の昇降リンク４を一方の昇降リンク４に連動させる連結軸部材５と、連結軸部材５と前降リンク４との間に左右の開閉リンク３の相対位置を調整する位相差調整手段７とを備えた。【選択図】図２
2010255350.tif 000002
【特許請求の範囲】
【請求項１】
略矩形の障子と、
該障子の左右両側に位置し、前記障子を上下方向に単又は複数、回動自在に支持する開閉リンクと、
左右側各々において前記開閉リンクを駆動させる昇降リンクと、
左右側の何れか一方の前記昇降リンクを昇降させる操作部と、
前記昇降リンクに連結されるとともに、前記昇降リンクの昇降運動を回転運動に変換するクランク部材と、
左右両端部が左右の前記クランク部材に連結され、前記一方の昇降リンクに連動して回動することで前記他方の昇降リンクを前記一方の昇降リンクに連動させる連結軸部材と、
該連結軸部材と前記昇降リンクとの間に左右の開閉リンクの相対位置を調整する位相差調整手段とを備えるオーニング窓等の開閉機構。
【請求項２】
前記位相差調整手段を、前記クランク部材に可曲部を設けて構成し、該可曲部の固定角度を調整して前記クランク部材の傾き角度を変更することにより、左右の開閉リンクの位相差を調整するものとした請求項１記載のオーニング窓等の開閉機構。
【請求項３】
前記位相差調整手段を、前記連結軸部材と前記開閉リンクとの間に位置する何れかの連結部分の一方に、正多角形状、又は円周上に均等に配置された凸部を有する形状であるとともに、中心以外の位置に調整螺子孔を有する螺子孔調整部を嵌合して構成し、前記螺子孔調整部を回転させて調整螺子孔の位置を変更することにより、左右の開閉リンクの位相差を調整するものとした請求項１記載のオーニング窓等の開閉機構。
【請求項４】
請求項１〜３の何れか１項に記載のオーニング窓等の開閉機構を用いたオーニング窓。
【発明の詳細な説明】
【技術分野】
【０００１】
本発明は、複数の障子が連動して回転することにより開閉するオーニング窓等の開閉機構及びこれを用いたオーニング窓に関するものであり、より詳しくは、障子を支持する左右の開閉リンクの間に生ずる位相差を調整することで、左右の開閉リンクの相対的なズレを低減し、良好な開閉動作を行うことができるオーニング窓等の開閉機構及びこれを用いたオーニング窓に関するものである。
【背景技術】
【０００２】
オーニング窓や平行移動窓においては、左右に設置した対称形状の開閉リンクを連結軸部材で繋ぎ、一つの操作ハンドルで左右を連動させる構造を採用しているが、部品のギャップや製作誤差の集積により、従動側金具の開閉が遅れて始まり、障子が斜めに傾きながら開閉されるという現象が発生していた。
【０００３】
従来、この位相差が生じることで障子を完全閉鎖状態で維持することができないという問題点を解消する窓装置として、障子と、この障子を、上昇、下降自在であって且つ水平軸の回りで回動自在に支持する支持機構と、障子を水平軸の回りで回動させて窓を開閉すると共に、窓の開放開始時及び閉鎖完了時に、障子を所定量だけ下降及び上昇させる窓開閉機構と、この窓開閉機構による障子の所定量の上昇において障子を窓完全閉鎖位置に引き寄せる引き寄せ機構とを具備しており、引き寄せ機構は、障子の側面及び窓枠の縦枠のいずれか一方に固定して配された係合突出体と、障子の側面及び窓枠の縦枠のいずれか他方に固定して配された案内面とを具備しており、窓開閉機構による障子の所定量の上昇において係合突出体が案内面に案内されることにより、障子を窓閉鎖位置に引き寄せるようになっており、係合突出体は、回転自在なローラを具備しており、案内面による係合突出体の案内において、ローラが案内面に接触するようになっているもの（特許文献１）がある。
また、左右の開閉リンクの位相差を少なくする為に従動側の開閉リンクを故意に進角させたものもある。
【０００４】
特許文献１のものは、上記構成により、窓の閉鎖過程における完全閉鎖状態の近傍から障子が案内面により閉鎖位置に強制的に引き寄せられるため、完全閉鎖状態に障子を容易に移行させることができ、しかも、係合突出体の被係合凹所への移動案内がローラを介して行われることにより、障子を完全閉鎖状態の近傍から完全閉鎖状態へ滑らかに移行させることができ、而して完全閉鎖状態に障子を更に容易に移行させることができるものである。
【０００５】
しかしながら、特許文献１のものは、左右の開閉リンクのズレ自体を解消するものではなく、障子が案内面により閉鎖位置に強制的に引き寄せられることで、最終的な付加動作を行わせて完全閉鎖状態とするものであって、開放状態及び完全閉鎖状態以外の状態における左右の開閉リンクのズレは解消できず、また、部品点数が多くなるため価格面及び耐久面において商品価値が低下するものである。
【０００６】
また、左右の開閉リンクの位相差を少なくするために従動側の開閉リンクを進角させたものは、ある程度のズレを解消することはできるが、個々の微妙な調整を行うことはできないものである。
【先行技術文献】
【特許文献】
【０００７】
【特許文献１】特開２０００−５４７３０号公報
【発明の概要】
【発明が解決しようとする課題】
【０００８】
そこで、本発明が解決しようとするものは、オーニング窓等における障子の左右両側に設けた開閉リンクのズレを容易に解消し、窓の開閉作業をスムーズに行うことができるオーニング窓等の開閉機構及びこれを用いたオーニング窓を提供する点にある。
【課題を解決するための手段】
【０００９】
本発明は、前述の課題解決のために、略矩形の障子と、該障子の左右両側に位置し、前記障子を上下方向に単又は複数、回動自在に支持する開閉リンクと、左右側各々において前記開閉リンクを駆動させる昇降リンクと、左右側の何れか一方の前記昇降リンクを昇降させる操作部と、前記昇降リンクに連結されるとともに、前記昇降リンクの昇降運動を回転運動に変換するクランク部材と、左右両端部が左右の前記クランク部材に連結され、前記一方の昇降リンクに連動して回動することで前記他方の昇降リンクを前記一方の昇降リンクに連動させる連結軸部材と、該連結軸部材と前記昇降リンクとの間に左右の開閉リンクの相対位置を調整する位相差調整手段とを備えた。
【００１０】
ここで、前記位相差調整手段を、前記クランク部材に可曲部を設けて構成し、該可曲部の固定角度を調整して前記クランク部材の傾き角度を変更することにより、左右の開閉リンクの位相差を調整するものであると好ましい。
【００１１】
また、前記位相差調整手段を、前記連結軸部材と前記開閉リンクとの間に位置する何れかの連結部分の一方に、正多角形状、又は円周上に均等に配置された凸部を有する形状であるとともに、中心以外の位置に調整螺子孔を有する螺子孔調整部を嵌合して構成し、前記螺子孔調整部を回転させて調整螺子孔の位置を変更することにより、左右の開閉リンクの位相差を調整するものであると好ましい。
【発明の効果】
【００１２】
本発明に係るオーニング窓等の開閉機構によれば、施工時及び使用時に、左右の開閉リンクにズレが生じた場合、位相差調整手段によりこれを解消し、障子の開閉動作を左右両側において同時に進行させることにより、窓の開閉動作をスムーズに行うことができる。また、位相差調整手段により左右の昇降リンクを同じ高さとすることで、障子の開閉以外の作用、例えば、障子閉鎖時におけるロック作用等においても左右両側で正確に作用させることができる。さらに、操作部の反対側に位相差調整手段を設けたため、位相差調整手段により左右の開閉リンクのズレを解消しようとする際、操作部やその構成部品等が邪魔にならず、調整作業を容易に行うことができる。
【００１３】
また、前記位相差調整手段を、前記クランク部材に可曲部を設けて構成し、該可曲部の固定角度を調整して前記クランク部材の傾き角度を変更することにより、左右の開閉リンクの位相差を調整するものによれば、簡易な構成で、部品点数も徒に増加することなく、製造面及びメンテナンス面において有利なものとすることができる。また、固定角度を変更することにより、左右の開閉リンクのズレを解消するため、一定範囲内であれば無段階で調整することができる。
【００１４】
さらに、前記位相差調整手段を、前記連結軸部材と前記開閉リンクとの間に位置する何れかの連結部分の一方に、正多角形状、又は円周上に均等に配置された凸部を有する形状であるとともに、中心以外の位置に調整螺子孔を有する螺子孔調整部を嵌合して構成し、前記螺子孔調整部を回転させて調整螺子孔の位置を変更することにより、左右の開閉リンクの位相差を調整するものによれば、各角度における調整距離を予め把握しやすく、施工後の状況に合わせた調整を迅速且つ容易に行うことができる。また、位相差調整手段により、オーニング窓等の開閉機構のリンク間の連結強度を下げることなく、商品価値をより高くすることができる。
【図面の簡単な説明】
【００１５】
【図１】本実施形態に係るオーニング窓の構成を示す正面図である。
【図２】本実施形態に係るオーニング窓のリンクの構成を示す説明図であり、（ａ）はオーニング窓の部分拡大を示す側面断面図、（ｂ）はオーニング窓の部分拡大を示す正面断面図である。
【図３】本実施形態に係るオーニング窓の開放状態を示す側面断面図である。
【図４】本実施形態に係るオーニング窓の閉鎖状態における位相差調整手段の構成を示す部分拡大側面図である。
【図５】本実施形態に係るオーニング窓の開放状態における位相差調整手段の構成を示す部分拡大側面図である。
【図６】本実施形態に係るオーニング窓の位相差調整手段の調整方法を示す説明図であり、（ａ）は調整しない状態を示す部分拡大側面図、（ｂ）は従動側の開閉リンクを閉鎖（上）側へ調整した状態を示す部分拡大側面図、（ｃ）は従動側の開閉リンクを開放（下）側へ調整した状態を示す部分拡大側面図である。
【図７】他の実施形態に係るオーニング窓の位相差調整手段の構成を示す拡大分解斜視図である。
【図８】他の実施形態に係るオーニング窓の位相差調整手段の調整方法を示す説明図であり、（ａ）は調整しない状態を示す部分拡大図、（ｂ）は調整角度αを９０度とした状態を示す部分拡大図、（ｃ）は調整角度αを１８０度とした状態を示す部分拡大図、（ｄ）は調整角度αを２７０度とした状態を示す部分拡大図である。
【発明を実施するための形態】
【００１６】
次に、本発明の実施形態を添付図面に基づき詳細に説明するが、本発明は、添付図面に示された形態に限定されず特許請求の範囲に記載の要件を満たす実施形態の全てを含むものである。本明細書においては、図１に示すように、外枠１の幅方向を左右方向Ａとし、図２（ａ）に示すように、開閉状態において障子２下側が突出する側（屋外側）を向く方向を前方Ｂとする。
【００１７】
図１に示すように、本発明の実施形態に係るオーニング窓Ｗは、外枠１の左右に対称に設けた開閉リンク３、３により左右方向軸回りに回転することで開閉する矩形の障子２、２、２を、上下方向に３個並設されてなる。また、各障子２、２、２を支持する開閉リンク３は、左右各々において昇降リンク４により開閉され、左右の昇降リンク４は外枠１の下側に位置する連結軸部材５により連結され、一方の開閉リンク３を操作する操作部６の開閉が他方の開閉リンク３に伝動される。
オーニング窓Ｗは、操作ハンドル６ａを所定の方向へ回転（正回転）させると昇降リンク４が下降し、開閉リンク３が障子２を上側中心に外方へ回転させて開放状態とすることができ、また、操作ハンドル６ａを開放動作と反対の方向へ回転（逆回転）させると昇降リンク４が上昇し、開閉リンク３が障子２を上側中心に内方へ回転させて閉鎖状態とすることができる。
【００１８】
外枠１は、壁に取り付けられ、開閉リンク３、昇降リンク４、連結軸部材５、及び操作部６の一部等を内部に備える。また、障子２は、外枠１の内側に上下に３個並設される。各障子２、２、２は同形状でガラスＧを内側に有する。
【００１９】
図２に示すように、開閉リンク３は、上リンク８と下リンク９とより構成される。
上リンク８は、上端が昇降リンク４の支持部１０に連結され、下端が障子２の左右両側に固定されている。下リンク９は、上端が上リンク８に連結され、下端が昇降リンク４に連結されている。
上リンク８は、昇降リンク４の支持部１０に設けた長孔１０ａに係合するピン８ａにより移動可能且つ回動可能に連結支持されている。開閉動作の際には、このピン８ａを中心に障子２が回動する。また、ピン８ａは、外枠１に設けた案内部１１の案内孔１１ａに係合し、これにより昇降移動時の位置が規制される。
上リンク８の障子２固定部分には下リンク９が連結され、昇降リンク４により下リンク９の下端が上方へ押し上げられることで上リンク８がピン８ａを中心に回転して、図３に示すように、障子２を開放する。
【００２０】
また、障子２閉鎖時には、障子２の下部に位置するロック機構１２がロック状態となっており、開放動作開始時、つまり、昇降リンク４が最上位置から下降するときにロックが解除される。ロック機構１２は、昇降リンク４に備えたリンク側係止部１３と、外枠１に設けた外枠側係止部１４と、障子２に設けた障子側係止部１５とよりなる。
【００２１】
リンク側係止部１３は、係止部本体を取付部に枢止ピン１３ｂにより枢止して、取付部を昇降リンク４に固定して構成される。側面視略上方開放コ字状の係止部本体の枢止側の端部には係止ピン１３ａが設けられている。外枠側係止部１４は、閉鎖時にリンク側係止部１３の係止ピン１３ａが係合する係合溝１４ａを有する。障子側係止部１５は、障子２の両側面に固定され、閉鎖時に係止部本体の係止ピン１３ａの存在しない側が係合する係止部１５ａを有する。
障子２閉鎖の際、昇降リンク４が昇降して係止ピン１３ａが係合溝１４ａに嵌入し、係合溝１４ａによりリンク側係止部１３が回転して上方開放姿勢となることで障子２をロックする。これらにより、障子２閉鎖状態において、操作部６以外の操作により、障子２が開放することを防止できる。ここで、昇降リンク４の最上位置から少し下方までの限られた範囲の昇降動作によって、ロック機能の発揮又は解除が行われているため、左右の昇降リンク４、４にズレが生じるとこれらの機能も正常に発揮することができない。
【００２２】
左右の昇降リンク４、４は、クランク部材である上側クランク１６、１６と下側クランク１７、１７とを介して連結軸部材５により連動する。連結軸部材５の両端には、図２に示すように、調整部１８の円柱突部１８Ａが嵌め込まれ、２個の螺子により回動不能に固定されている。また、調整部１８と連結軸部材５との間には、下側クランク１７が位置し、この下側クランク１７は、調整部材１８の円柱突部１８Ａにより回動可能に保持されている。通常の状態では、この下側クランク１７は、調整部１８の円柱突部反対側において調整部１８と螺子１８ａにより固定されているため、下側クランク１７と調整部１８との相対角度が変わることはない。
【００２３】
図４及び図５に示すように、下側クランク１７及び上側クランク１６は、主動側の昇降リンク４の昇降運動を回転運動に変換して連結軸部材５を回転させ、これに連結する従動側の昇降リンク４を昇降させることで左右の昇降リンク４，４を連動させている。
また、従動側の下側クランク１７には、位相差調整手段７として角度変更可能な可曲部を設けている。可曲部は、連結軸部材５に対して回動可能な下側クランク１７と、連結軸部材５に対して回動不能な調整部１８とより構成される。この下側クランク１７と調整部１８とは下側クランク１７に設けた長孔１７ａと調整部１８の螺子孔とを螺子１８ａにより固定することで相対回転不能となる。ここで、下側クランク１７は、この長孔１７ａにより、下側クランク１７の連結軸部材５に対する固定角度を変更することができ、結果、上側クランク１６の上端に連結する上連結部１６ａの高さを調整して、主動側の昇降リンク４に対する従動側の昇降リンク４の上下方向のズレを解消することができる。
【００２４】
図６に示すように、下側クランク１７に設けた可曲部は、下側クランク１７と調整部１８の固定角度差θを変更することによって、昇降リンク４と上側クランク１６の連結部から下側クランク１７と連結軸部材５との連結部までの高さＬを調整するものである。
通常、図６（ａ）に示すように、下側クランク１７と調整部１８は、固定角度差θが無い状態（θ＝ゼロ）で固定されており、この状態でオーニング窓Ｗが設置される。設置後又はメンテナンスにおいて必要があれば、この固定角度差θを調整して左右の開閉リンク３のズレを解消することができる。
オーニング窓Ｗを操作ハンドル６ａにより開放する際に主動側の開閉リンク３に対して従動側の開閉リンク３が遅れて連動している場合には、従動側の昇降リンク４の高さを下げる必要がある。このとき、図６（ｂ）に示すように、調整部１８が下側クランク１７よりも時計回りにおいて進角する方向（θ＞０）に下側クランク１７を回転させて固定することで、従動側の昇降リンク４を下げることできる。ここで、長孔１７ａ周縁には、下側クランク１７の長手方向にのびる複数の溝（図示せず）を形成し、下側クランク１７と調整部１８との固定を強固なものとしているため、固定角度差θを維持して左右の開閉リンク３の相対位置を適正な状態で長期間使用できるものとしている。また、固定角度差θは、長孔１７ａ内に螺子１８ａが位置する範囲内であれば、左右の開閉リンクのズレに応じて無段階で適宜選択することができる。なお、長孔１７ａ周縁の溝は摩擦力を高めるためのものであるため、溝を形成せず、他の加工、例えば、表面粗さの調整などにより摩擦力を高めるものを採用しても良い。
また、オーニング窓Ｗを操作ハンドル６ａにより開放する際に主動側の開閉リンク３に対して従動側の開閉リンク３がすすんで動いている場合には、従動側の昇降リンク４の高さを上げる必要がある。このとき、図６（ｃ）に示すように、下側クランク１７が調整部１８よりも時計回りにおいて進角する方向（θ＜０）に下側クランク１７を回転させて、固定することで、従動側の昇降リンク４を下げることできる。このときも、固定角度差θは一定範囲内で無段階に調整できるため、適宜、最適角度を選択することができる。
【００２５】
次に、本発明に係るオーニング窓Ｗの位相差調整手段７の他の実施形態を説明する。
【００２６】
図７に示すように、他の実施形態に係るオーニング窓Ｗの位相差調整手段７Ａは、下側クランク１７の上側クランク１６との連結部に、螺子孔の位置を変更することができる螺子孔調整部１９を嵌め込んで構成される。螺子孔調整部１９は、下側クランク１７に設けた嵌合孔２２に所定角度回転させて嵌め込み、調整螺子孔１９ａの位置を変更して、ワッシャー２１、螺子２０で固定する。このような構成により、昇降リンク４と上側クランク１６の連結部から下側クランク１７と連結軸部材５との連結部までの高さＬを調整して、容易に左右の開閉リンク３のズレを解消することができるとともに、上側クランク１６と下側クランク１７との固定角度を強固に維持することができる。
【００２７】
図８に示すように、位相差調整手段７Ａは、下側クランク１７の調整螺子孔１９ａの位置を変更することで、左右の開閉リンク３のズレを解消することができるものである。
通常、図８（ａ）に示すように、調整螺子孔１９ａが連結軸部材５との連結側から一番離れる位置（α＝０）で嵌め込まれ、オーニング窓Ｗは設置される。  その後、適宜、螺子孔調整部１９を回転させて調整螺子孔１９ａの位置を変更する。図８の（ｂ）はα＝９０°、（ｃ）はα＝１８０°、（ｄ）はα＝２７０°で固定した状態を示す。
【００２８】
螺子孔調整部１９の嵌合部分には、その外周上等間隔に８個の凸部１９ｂ、１９ｂ、・・・、下側クランク１７の嵌合部分には、凸部１９ｂ、１９ｂ、・・・に対応する８個の凹部２２ａ、２２ａ、・・・が設けられているため、調整角度αは４５度間隔で変更することができる。このとき、予め各調整角度αにおける、昇降リンク４と上側クランク１６の連結部から下側クランク１７と連結軸部材５との連結部までの高さＬを計測しておくと、実際に左右の開閉リンク３のズレが生じた際に、そのズレの距離に近い、計測値の調整角度αを選択することができる。これにより、左右の開閉リンク３のズレを解消する作業を迅速且つ容易に行うことができる。
【００２９】
なお、他の実施形態に係るオーニング窓Ｗのその他の構成については、上記の本発明の実施形態と同様であり、同一構造については同一の符号を付してその説明を省略する。
【００３０】
上記本発明の実施形態及び他の実施形態において、オーニング窓Ｗは雨の侵入を防ぐために障子２を上下方向に並設させる状態で設置しているが、これに限らず、使用目的に合わせてオーニング窓Ｗを実施形態から外枠１面で９０度回転させた状態、つまり、障子２を左右方向に並設させる状態で設置してもよい。
また、位相差調整手段７、７Ａは、昇降リンク４と上側クランク１６の連結部から下側クランク１７と連結軸部材５との連結部までの高さＬを調整することで、左右の開閉リンク３のズレを解消することを目的とするものであり、これらのように、昇降リンク４と上側クランク１６の連結部から下側クランク１７と連結軸部材５との連結部までの高さＬを調整することができるものであれば、位相差調整手段を他の構成によりなるものとしてもよく、例えば、調整部１８のように連結角度を変更することができるものを、上側クランク１６を下側クランク１７との連結部、又は、昇降リンク４を上側クランク１６との連結部に設けて構成してもよいし、同じように、螺子孔調整部１９のようなものを他の連結部に設けてもよい。
さらに、上記本発明の実施形態及び他の実施形態においては、位相差調整手段７、７Ａを用いたオーニング窓Ｗの構成を説明したが、オーニング窓Ｗに限らず、他も左右若しくは上下を連結軸部材で連動させる構造をもつ他の窓に用いてもよく、例えば、ルーバー窓や平行移動窓等に適用できる。
また、位相差調整手段７、７Ａは、操作部６の存在しない側にのみ設けて組立容易とするとともに位相差調整手段７、７Ａによる調整作業をより容易に行えるものとしているが、これに限らず、例えば、両側又は操作部６側にのみ設けてもよい。
【符号の説明】
【００３１】
１     外枠
２     障子
３     開閉リンク
４     昇降リンク
５     連結軸部材
６     操作部
６ａ 操作ハンドル
７、７Ａ  位相差調整手段
８     上リンク
８ａ ピン
９     下リンク
１０   支持部
１０ａ      長孔
１１   案内部
１１ａ      案内孔
１２   ロック機構
１３   リンク側係止部
１３ａ      係止ピン
１３ｂ      枢止ピン
１４   外枠側係止部
１４ａ      係合溝
１５   障子側係止部
１５ａ      係止部
１６   上側クランク（クランク部材）
１６ａ      上連結部
１７   下側クランク（クランク部材）
１７ａ      長孔
１８   調整部
１８Ａ      円柱突部
１８ａ      螺子
１９   螺子孔調整部
１９ａ      調整螺子孔
１９ｂ      凸部
２０   螺子
２１   ワッシャー
２２   嵌合孔
２２ａ      凹部
Ａ     左右方向
Ｂ     前方
Ｇ     ガラス
Ｗ     オーニング窓
α     調整角度
θ     固定角度差
【図１】
2010255350.tif 000003
【図２】
2010255350.tif 000004
【図３】
2010255350.tif 000005
【図４】
2010255350.tif 000006
【図５】
2010255350.tif 000007
【図６】
2010255350.tif 000008
【図７】
2010255350.tif 000009
【図８】
2010255350.tif 000010